【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
撮像手段と、
この撮像手段により撮像される被写体像を表示する表示手段と、
通信手段と、
この通信手段を制御するために設けられた複数の操作手段と、
前記通信手段を動作させる第１のモードと、前記撮像手段を動作させる第２のモードとを選択的に設定するモード設定手段と、
このモード設定手段により前記第２のモードが設定されている場合、前記表示手段に表示される被写体像を複数の領域に分割し、各領域に前記複数の操作手段を各々割り当てる第１の割当手段と、
この第１の割当手段により割り当てられた領域より、前記複数の操作手段より特定の操作手段の操作を検出することにより、この操作手段に対応する領域を合焦領域として選択する選択手段と、
この選択手段により合焦領域が選択されると、当該合焦領域を更に複数の領域に細分化して表示するよう前記表示手段を制御する表示制御手段と
を備えることを特徴とする複合機器。
【請求項２】
前記表示制御手段は、選択手段により合焦領域が選択されると、当該合焦領域を前記表示手段に拡大して全画面表示させることを特徴とする請求項１記載の複合機器。
【請求項３】
前記表示制御手段は、前記選択手段により合焦領域が選択されると、当該合焦領域を前記表示手段の一部に拡大して表示させることを特徴とする請求項１記載の複合機器。
【請求項４】
前記表示制御手段により細分化されて表示された合焦領域に前記複数の操作手段を各々割り当てる第２の割当手段と、
この第２の割当手段により割り当てられた領域より、前記複数の操作手段より特定の操作手段の操作を検出することにより、この操作手段に対応する領域に表示されている被写体像部分が合焦するように、前記撮像手段の合焦動作を制御する制御手段と
を備えることを特徴とする請求項１乃至３の何れかに記載の複合機器。
【請求項５】
前記操作手段は、テンキーを含むことを特徴とする請求項１乃至４の何れかに記載の複合機器。
【請求項６】
撮像部と、表示部と、通信部と、この通信部を制御するために設けられた複数の操作部とを備えた複合機器における合焦制御方法であって、
前記通信部を動作させる第１のモードと、前記撮像部を動作させる第２のモードとを選択的に設定するモード設定ステップと、
このモード設定ステップにより前記第２のモードが設定されている場合、前記表示部に前記撮像部にて撮像される被写体像を表示させる表示ステップと、
この表示ステップにて表示される被写体像を複数の領域に分割し、各領域に前記複数の操作部を各々割り当てる第１の割当ステップと、
この第１の割当ステップにて割り当てられた領域より、前記複数の操作部より特定の操作部の操作を検出することにより、この操作部に対応する領域を合焦領域として選択する選択ステップと、
この選択ステップにより合焦領域が選択されると、当該合焦領域を更に複数の領域に細分化して表示するよう前記表示部を制御する表示制御ステップと
からなることを特徴とする合焦制御方法。
【請求項７】
撮像手段と、この撮像手段により撮像される被写体像を表示する表示手段と、通信手段と、この通信手段を制御するために設けられた複数の操作手段とを備えた複合機器が有するコンピュータを、
前記通信手段を動作させる第１のモードと、前記撮像手段を動作させる第２のモードとを選択的に設定するモード設定手段、
このモード設定手段により前記第２のモードが設定されている場合、前記表示手段に表示される被写体像を複数の領域に分割し、各領域に前記複数の操作手段を各々割り当てる第１の割当手段、
この第１の割当手段により割り当てられた領域より、前記複数の操作手段より特定の操作手段の操作を検出することにより、この操作手段に対応する領域を選択する選択手段、
この選択手段により合焦領域が選択されると、当該合焦領域に表示されている被写体像を更に複数の領域に細分化して表示するよう前記表示手段を制御する表示制御手段
として機能させることを特徴とする合焦制御プログラム。
【手続補正２】
【補正対象書類名】明細書
【補正対象項目名】０００６
【補正方法】変更
【補正の内容】
【０００６】
前記課題を解決するために請求項１記載の発明に係る複合機器は、撮像手段と、この撮像手段により撮像される被写体像を表示する表示手段と、通信手段と、この通信手段を制御するために設けられた複数の操作手段と、前記通信手段を動作させる第１のモードと、前記撮像手段を動作させる第２のモードとを選択的に設定するモード設定手段と、このモード設定手段により前記第２のモードが設定されている場合、前記表示手段に表示される被写体像を複数の領域に分割し、各領域に前記複数の操作手段を各々割り当てる第１の割当手段と、この第１の割当手段により割り当てられた領域より、前記複数の操作手段より特定の操作手段の操作を検出することにより、この操作手段に対応する領域を合焦領域として選択する選択手段と、この選択手段により合焦領域が選択されると、当該合焦領域を更に複数の領域に細分化して表示するよう前記表示手段を制御する表示制御手段とを備える。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、請求項２記載の発明に係る複合機器にあっては、請求項１記載の発明において、前記表示制御手段は、選択手段により合焦領域が選択されると、当該合焦領域を前記表示手段に拡大して全画面表示させる。
【手続補正６】
【補正対象書類名】明細書
【補正対象項目名】００１０
【補正方法】変更
【補正の内容】
【００１０】
また、請求項３記載の発明に係る複合機器にあっては、請求項１記載の発明において、前記表示制御手段は、選択手段により合焦領域が選択されると、当該合焦領域を前記表示手段に拡大して全画面表示させる。
【手続補正７】
【補正対象書類名】明細書
【補正対象項目名】００１１
【補正方法】変更
【補正の内容】
【００１１】
また、請求項４記載の発明に係る複合機器にあっては、請求項１乃至３の何れかに記載の発明において、前記表示制御手段により細分化されて表示された合焦領域に前記複数の操作手段を各々割り当てる第２の割当手段と、この第２の割当手段により割り当てられた領域より、前記複数の操作手段より特定の操作手段の操作を検出することにより、この操作手段に対応する領域に表示されている被写体像部分が合焦するように、前記撮像手段の合焦動作を制御する制御手段とを備える。
【手続補正８】
【補正対象書類名】明細書
【補正対象項目名】００１２
【補正方法】変更
【補正の内容】
【００１２】
また、請求項５記載の発明に係る複合機器にあっては、請求項１乃至４の何れかに記載の発明において、前記操作手段は、テンキーを含む。
【手続補正９】
【補正対象書類名】明細書
【補正対象項目名】００１３
【補正方法】変更
【補正の内容】
【００１３】
また、請求項６記載の発明は、撮像部と、表示部と、通信部と、この通信部を制御するために設けられた複数の操作部とを備えた複合機器における合焦制御方法であって、前記通信部を動作させる第１のモードと、前記撮像部を動作させる第２のモードとを選択的に設定するモード設定ステップと、このモード設定ステップにより前記第２のモードが設定されている場合、前記表示部に前記撮像部にて撮像される被写体像を表示させる表示ステップと、この表示ステップにて表示される被写体像を複数の領域に分割し、各領域に前記複数の操作部を各々割り当てる第１の割当ステップと、この第１の割当ステップにて割り当てられた領域より、前記複数の操作部より特定の操作部の操作を検出することにより、この操作部に対応する領域を合焦領域として選択する選択ステップと、この選択ステップにより合焦領域が選択されると、当該合焦領域を更に複数の領域に細分化して表示するよう前記表示部を制御する表示制御ステップとからなる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
また、請求項７記載の発明に係る合焦制御プログラムは、撮像手段と、この撮像手段により撮像される被写体像を表示する表示手段と、通信手段と、この通信手段を制御するために設けられた複数の操作手段とを備えた複合機器が有するコンピュータを、前記通信手段を動作させる第１のモードと、前記撮像手段を動作させる第２のモードとを選択的に設定するモード設定手段、このモード設定手段により前記第２のモードが設定されている場合、前記表示手段に表示される被写体像を複数の領域に分割し、各領域に前記複数の操作手段を各々割り当てる第１の割当手段、この第１の割当手段により割り当てられた領域より、前記複数の操作手段より特定の操作手段の操作を検出することにより、この操作手段に対応する領域を選択する選択手段、この選択手段により合焦領域が選択されると、当該合焦領域に表示されている被写体像を更に複数の領域に細分化して表示するよう前記表示手段を制御する表示制御手段として機能させる。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
以上説明したように本発明によれば、表示される被写体像を複数の領域に分割し、各領域に通信手段を制御するために設けられた複数の操作手段を各々割り当て、更に、前記複数の操作手段より特定の操作手段の操作を検出すると、この操作手段に対応する領域を合焦領域として選択して、更に複数の領域に細分化して表示する。よって、既存の操作手段の数により制限を受けることなく、表示手段をより複数に分割して合焦制御を行うことが可能となる。その結果、被写体像のより細部に対して合焦させることができ、被写体像における所望の細部にピントがあった画像を撮像することが可能となる。